(57)【要約】【課題】プリント柄を見る方向によって、色が変化するプリント柄と、そのようなプリント柄の製造方法を提供する。【解決手段】複数のドットから構成されるプリント柄であり、前記ドットは、側面視において、凸状に隆起した形状であり、凸状に隆起したドットの表面は、複数の色で塗り分けられているプリント柄である。また、対象物品に対して、発泡インクを複数のドット状に付着させる工程と、発泡インクを含有するドットの表面を複数の色で塗り分ける工程と、発泡インクを含有するドットを発泡させる工程とを含む複数のドットから構成されるプリント柄の製造方法である。【選択図】図１
2020169415.tif 000002
【特許請求の範囲】
【請求項１】
複数のドットから構成されるプリント柄であり、
前記ドットは、側面視において、凸状に隆起した形状であり、
凸状に隆起したドットの表面は、複数の塗材で塗り分けられているプリント柄。
【請求項２】
請求項１に記載のプリント柄を有する布地。
【請求項３】
対象物品に対して、発泡インクを複数のドット状に付着させる工程と、
発泡インクを含有するドットの表面を複数の塗材で塗り分ける工程と、
発泡インクを含有するドットを発泡させる工程とを含む複数のドットから構成されるプリント柄の製造方法。
【請求項４】
ドットの表面を複数の色で塗り分ける工程は、加熱発泡性かつ熱硬化型の発泡インクを含有する未発泡のドットの表面を、複数の塗材で塗り分ける工程であり、
発泡インクを含有するドットを発泡させる工程は、前記塗材で塗り分けられた前記ドットを加熱発泡性かつ熱硬化型の発泡インクと共に塗材を加熱することにより実施する請求項３に記載のプリント柄の製造方法。
【請求項５】
ドットを付着させる工程と、ドットの表面を複数の塗材で塗り分ける工程は、複数の異なる形状を有する貫通孔を有する版板を使用したスクリーン印刷により実施される請求項３又は４に記載のプリント柄の製造方法。
【請求項６】
対象物品は布地である請求項３ないし５に記載の各工程を含む布地の製造方法。
【発明の詳細な説明】
【技術分野】
【０００１】
本発明は、プリント柄とプリント柄の製造方法に関する。
【背景技術】
【０００２】
布などの対象製品に対して、立体的な柄を形成する技術が知られている。例えば、特許文献１には、下から上に向けて、離型紙層と、接着剤層と、発泡材層と、インク又はトナーの受容層とを順に積層したシートが開示されている。このシートを、接着剤層によって、布製のシャツなどに貼着して、アイロンや熱プレス機で加熱すると、発泡材層が膨らんで、立体的な画像が形成されるとされている。
【０００３】
また、例えば、特許文献２には、発泡インクによって、立体印刷部として、シートに対して点字を形成する技術が記載されている。
【０００４】
また、例えば、特許文献３には、シートに発泡インクで印刷した後、加熱処理を施して、文字、図柄の発泡層を形成した緩衝用シートが記載されている。
【先行技術文献】
【特許文献】
【０００５】
【特許文献１】特開２００２−３３３８３９号公報
【特許文献２】特開２００１−９６８８３号公報
【特許文献３】特開昭６１−１７８８６５号公報
【発明の概要】
【発明が解決しようとする課題】
【０００６】
特許文献１の立体的な画像は、一つの発泡材層の上にインクを積層することによって、所望の画像を現出させる構成である。この画像は、発泡インクが膨化することによって、画像全体が膨れ上がって見えるという視覚効果を生じるものであり、それ以外に特別な視覚的な効果は生じない。
【０００７】
特許文献２に示されている点字や特許文献３に示されている文字又は図案についてもやはり、点字を発泡インクで形成すること、文字または図案を発泡インクで形成される発泡層で形成することが記載されているにすぎず、特別な視覚的な効果を生じるものではない。
【０００８】
本発明は、プリント柄を見る方向によって、プリント柄の外観が変化するプリント柄と、そのようなプリント柄の製造方法を提供することを目的とする。
【課題を解決するための手段】
【０００９】
複数のドットから構成されるプリント柄であり、前記ドットは、側面視において、凸状に隆起した形状であり、凸状に隆起したドットの表面は、複数の塗材で塗り分けられているプリント柄により上記の課題を解決する。前記ドットは凸状に隆起しており、複数の塗材で塗り分けられているため、プリント柄を構成するドットを観察する方向によって、プリント柄の色、模様、質感などの外観が変化する。これによって、従来にはない、視覚的な効果を発揮するプリント柄が得られる。
【００１０】
また、対象物品に対して、発泡インクを複数のドット状に付着させる工程と、発泡インクを含有するドットの表面を複数の塗材で塗り分ける工程と、発泡インクを含有するドットを発泡させる工程とを含む複数のドットから構成されるプリント柄の製造方法により、上記の課題を解決する。この方法により、簡易な方法によって、上記のような視覚的な効果を発揮するプリント柄を製造することができる。
【００１１】
上記の製造方法において、ドットの表面を複数の色で塗り分ける工程は、加熱発泡性かつ熱硬化型の発泡インクを含有する未発泡のドットの表面を、複数の塗材で塗り分ける工程であり、発泡インクを含有するドットを発泡させる工程は、前記塗材で塗り分けられた前記ドットを加熱発泡性かつ熱硬化型の発泡インクと共に塗材を加熱することにより実施することが好ましい。このようにすれば、ドットの発泡及び硬化と、前記塗材の定着とを、同時に実施することができる。
【００１２】
上記の製造方法において、ドットを付着させる工程と、ドットの表面を複数の塗材で塗り分ける工程は、例えば、複数の異なる形状を有する貫通孔を有する版板を使用したスクリーン印刷により、効率的に実施することができる。
【００１３】
上記のプリント柄を構成する対象物を、布地とすることにより、上記のような視覚的効果を発揮するプリント柄を有する布地を提供することができる。布地には、布の原反、布を補正した布製品が含まれるものとする。
【発明の効果】
【００１４】
本発明によれば、プリント柄を見る方向によって、プリント柄の外観が変化するプリント柄と、そのようなプリント柄の製造方法を提供することができる。
【図面の簡単な説明】
【００１５】
【図１】複数のドットから構成されるプリント柄を有する布地で構成したティーシャツの正面図である。
【図２】図１のプリント柄の部分を拡大して示した正面図である。
【図３】図２に示したプリント柄の左側面図である。
【図４】図２に示したプリント柄の右側面図である。
【図５】図２に示したプリント柄の平面図である。
【図６】図２に示したプリント柄の底面図である。
【図７】プリント柄を構成するドットの他の例を示す正面図である。
【図８】プリント柄を構成するドットの他の例を示す正面図である。
【図９】プリント柄を構成するドットの他の例を示す正面図である。
【図１０】プリント柄を構成するドットの他の例を示す正面図である。
【図１１】プリント柄を構成するドットの他の例を示す正面図である。
【図１２】プリント柄を構成するドットの他の例を示す正面図である。
【図１３】スクリーン印刷の方法を示す説明図である。
【図１４】スクリーン印刷で使用する複数の刷版を示す説明図である。
【発明を実施するための形態】
【００１６】
以下、本発明を実施するための好適な形態について、図面を参照しながら、説明する。図１ないし図６にプリント柄を形成した布地の一例を示す。図７ないし図１２にプリント柄を構成するドットの他の例を示す。図１３及び図１４にプリント柄の製造方法の一例を示す。なお、図３ないし図６においては、プリント柄を構成するドットの数は、図の簡単のため、図２のドットの数とは厳密に一致していない状態で示した。
【００１７】
図１ないし図６に示したプリント柄１は、ティーシャツ３を構成する布地２に印刷したアルファベットの「Ａ」の文字であり、図２に示したように、複数のドット１１から構成される。プリント柄１を構成する個々のドット１１は、図３ないし図６に示したように、ドット１１を側面視から見た際に、凸状に隆起した形状となっている。そして、凸状に隆起したドット１１の表面は、図２に示したように、複数の色で塗り分けられている。
【００１８】
図１ないし図６に示したプリント柄１を構成する個々のドット１１は、正面視において、円形であり、左右側面視、平面視、及び底面視において、正面側に凸状に隆起する形状である。個々のドットの正面視における形状は、後述する図７ないし図１２に示すように、円形に限定されない。個々のドットの左右側面視、平面視、及び底面視における形状も、凸状に隆起していればよく、その形状は特に限定されない。個々のドットの左右側面視、平面視、及び底面視における形状は、例えば、半球状、又は半球状よりも扁平な半楕円状、先端が丸く構成された先丸円錐状などが挙げられる。ドットを横から見た際における視認性を向上させるため、ドットは基部の幅が先端部に比して大きな形状とすることが好ましい。
【００１９】
図１ないし図６に示したプリント柄では、図２に示したように、凸状に隆起したドット１１の表面は、複数の塗材で塗り分けられている。具体的には、正面視において、図２において黒色の塗りつぶしで示される左上の領域Ｃは青色の塗材で塗られており、図２にいて白抜きで示される右上の領域Ａは緑色の塗材で塗られており、図２において１３５°の斜線で示された左下の領域Ｄは黄色の塗材で塗られており、図２において４５°の斜線で示された右下の領域Ｂはピンク色の塗材で塗られている。ドットの表面を塗り分けるに際しては、ドットの表面の一部を着色せずに、地色を残すことによって、ドットの表面が複数の色となるようにしてもよい。
【００２０】
上述のように、複数のドット１１は、凸状に隆起しているため、図３に示したように、左側面からプリント柄１を観察すると、ドット１１の色のうち青色と黄色とが主に視認される。このため、プリント柄１を左側面から観察すると、青色と黄色とで着色された複数のドット１１で構成されたプリント柄１が視認される。
【００２１】
図４に示したように、右側面からプリント柄１を観察すると、ドット１１の色のうち緑色とピンク色とが主に視認される。このため、プリント柄を左側面から観察すると、緑色とピンク色とで着色された複数のドットで構成されたプリント柄が視認される。
【００２２】
図５に示したように、平側面からプリント柄１を観察すると、ドット１１の色のうち青色と緑色とが主に視認される。このため、プリント柄を平面側面から観察すると、青色と緑色とで着色された複数のドットで構成されたプリント柄が視認される。
【００２３】
図６に示したように、底面からプリント柄１を観察すると、ドット１１の色のうち黄色とピンク色とが主に視認される。このため、プリント柄を底面から観察すると、黄色とピンク色とで着色された複数のドットで構成されたプリント柄が視認される。
【００２４】
そして、図２に示したように、プリント柄を正面から観察すると、ドットの色のうち青色と緑色と黄色とピンク色とが視認される。このため、プリント柄を正面から観察すると、青色と緑色と黄色とピンク色とで着色された複数のドットで構成されたプリント柄が視認される。
【００２５】
以上のように、図１ないし図６のプリント柄は、プリント柄を見る方向によって、プリント柄を構成するドットの色味が変化する。これによって、今までにはない斬新な視覚的な効果が得られる。
【００２６】
図１ないし図６のプリント柄では、同じ配色パターンの複数のドット１１でプリント柄１が構成されている。このため、例えば、左側面視からプリント柄を観察すると青と黄色とからなるドット１１が規則的に繰り返し配列された幾何学的なプリント柄１を観察することができる。右側面視、平面視、底面視、正面視においても同様に幾何学的なプリント柄を観察することができる。
【００２７】
図１ないし図６のプリント柄１は、同じ配色パターンの複数のドット１１でプリント柄１を構成したが、プリント柄を構成する一のドットと他のドットとで、配色パターンを相違させてもよい。例えば、一のドットを２色で着色し、他のドットを４色で着色するといったパターンや、一のドットを１色とし、他のドットを２色とするといったパターンが挙げられる。
【００２８】
図１ないし図６のプリント柄１を構成するドット１１では、正面視において、左上の領域Ｃの面積が、右上の領域Ａの面積に比して、大きくなるように構成されている。また、右下の領域Ｂの面積が、左下の領域Ｄの面積に比して、大きくなるように構成されている。これにより、例えば、右側面側からドット１１を観察した際に、面積を大きくした領域Ａの青色が、わずかに視認されるようになっている。また、例えば、左側面側からドット１１を観察した際に、面積を大きくした領域Ｂのピンク色が、わずかに視認されるようになっている。
【００２９】
図１ないし図６のプリント柄では、プリント柄１を構成し、隣接するドット１１の間隔が同程度となるようにしている。これにより、ドット１１の配列に規則性が付与され、幾何学的なプリント柄を観察することができるようにされている。隣接するドット１１の間隔は、例えば、０．５〜１００ｍｍ、０．５〜５０ｍｍ、又は０．５〜１０ｍｍの範囲とすることができる。隣接するドット１１に間隔を設けることで、ドットの表面に塗られた異なる色彩を視認させやすくすることができる。
【００３０】
上記のようなプリント柄は、例えば、図１に示したような、布地２から構成させるティーシャツ３などの布製品に対して、印刷することができる。プリント柄を印刷する対象物となる物品は、特に限定されず、例えば、布地、紙、金属板、プラスチック板などの物品が挙げられる。布地には、布の原反に加えて、上衣、下衣、つなぎ服などの衣服、ペット用の衣服、布製の鞄などを含む布製品が含まれる。同様に、紙、金属板、又はプラスチック板には、ポスター、看板などの加工品が含まれるものとする。
【００３１】
プリント柄には、図１ないし図６のような文字だけではなく、文字、図形、記号、模様、キャラクターの絵、又は肖像などが含まれる。
【００３２】
上述の図１ないし図６の例では、ドットを複数の色で塗り分けたが、この例に限定されない。プリント柄を構成するドットは、外観が異なる複数の塗材で塗り分けられていればよい。例えば、複数の質感の異なる塗材でドットを塗り分けたりすることができる。これらの場合において、顔料や染料を併用してもよい。
【００３３】
ドットを複数の質感の異なる塗材で塗り分ける際には、例えば、ガラス粉、パール粉などによるラメを含有する塗材と、ラメを含有していない塗材とで塗り分けたり、蓄光材を含有する塗材と、蓄光材を含有していない塗材とで塗り分けたり、再帰性反射材を含有する塗材と、再帰性反射材を含有しない塗材とで塗り分けたりすることができる。
【００３４】
ドットを複数の色彩の異なる塗材で塗り分ける際には、色相、明度、及び彩度のうち少なくとも一つにおいて相違する複数の色を選択することが好ましい。着色する際の塗材としては、顔料、染料、ガラスビーズやプリズムなどの再帰性反射材、又は蓄光材などを使用することができる。
【００３５】
ドットの直径は、特に限定さないが、例えば、１．０〜１００ｍｍとすることができる。衣服などの布製品の場合は、例えば、ドットの直径は、１．０〜５０．０ｍｍ又は２．０〜２０．０ｍｍの範囲など、小さめにしてもよい。看板などの物品の場合は、例えば、ドットの直径は、１０.０〜１００ｍｍの範囲など、大きめにしてもよい。
【００３６】
ドットを塗り分ける色の数は、特に限定されないが、例えば、２〜８色とすることができるし、２〜４色とすることもできる。
【００３７】
プリント柄を構成する複数のドットのうち、すべてのドットを凸状に隆起させた形状とし、すべてのドットの表面を複数の塗材で塗り分けるように構成してもよいし、一部のドットの表面を複数の塗材で塗り分けるように構成してもよい。
【００３８】
プリント柄を構成するドットは、見る方向によって、色、模様、又は質感等の外観が変化するように構成すればよい。ドットは横方向から観察されやすい。このため、ドットを横方向から観察した際における、異なる少なくとも２つの視点において、ドットの色、模様、又は質感が変化するように、ドットを複数の塗材で塗り分ければよい。
【００３９】
［ドットの変形例］
図１ないし図６の例では、ドットを正面視において円形にし、ドットが正面側に凸状に隆起した形状とした。プリント柄を構成するドットは、例えば、図７ないし図１２のように変更してもよい。以下、順に説明する。図７ないし図１２の例は、いずれも、ドットの正面側に向かって隆起する形状である。
【００４０】
図７の例は、正面視において、円形のドット１１ａを構成するＡ１、Ｂ１、Ｃ１、及びＤ１の扇形の領域の面積が同等となるように変更したものである。Ａ１ないしＤ１の領域を、例えば、４色の異なる色彩で着色すると、左側面視、右側面視、平面視、又は底面視のいずれにおいても、２色の異なる色彩が視認される。Ａ１ないしＤ１を塗り分けるパターンは、任意に変更することができる。
【００４１】
図８の例は、正面視において、Ａ２ないしＨ２の面積が同等の８つの三角形の領域からなる八角形のドット１１ｂである。Ａ２ないしＨ２を、例えば、８色の異なる色彩の塗材で着色すると、左側面視、右側面視、平面視、又は底面視のいずれにおいても、４色の異なる色彩が視認される。Ａ２ないしＨ２を塗り分けるパターンは、任意に変更することができる。
【００４２】
図９の例は、正面視において、Ａ３ないしＣ３の面積が同等の３つの扇形の領域からなる円形のドット１１ｃである。Ａ３ないしＣ３を、例えば、３色の異なる色彩の塗材で着色すると、左側面視、右側面視、平面視、又は底面視のいずれにおいても、２色の異なる色彩が視認される。Ａ３ないしＣ３を塗り分けるパターンは、任意に変更することができる。
【００４３】
図１０の例は、正面視において、Ａ４ないしＤ４の面積が同等の４つの三角形の領域からなる菱形のドット１１ｄである。Ａ４ないしＤ４を、例えば、４色の異なる色彩の塗材で着色すると、左側面視、右側面視、平面視、又は底面視のいずれにおいても、２色の異なる色彩が視認される。Ａ４ないしＤ４を塗り分けるパターンは、任意に変更することができる。
【００４４】
図１１の例は、正面視において、Ａ５ないしＣ５の面積が相違する３つの面積が四角形の領域からなる菱形のドット１１ｅである。Ａ５ないしＣ５を、例えば、３色の異なる色彩の塗材で着色すると、左側面視、右側面視、平面視、又は底面視のいずれにおいても、２色の異なる色彩が視認される。Ａ５ないしＣ５を塗り分けるパターンは、任意に変更することができる。
【００４５】
図１２の例は、正面視において、Ａ６ないしＤ６の面積が同等の４つの三角形の領域からなる四角形のドット１１ｆである。Ａ６ないしＤ６を、例えば、４色の異なる色彩の塗材で着色すると、左側面視、右側面視、平面視、又は底面視のいずれにおいても、１色の異なる色彩が視認される。Ａ６ないしＤ６を塗り分けるパターンは、任意に変更することができる。
【００４６】
ドットの形状は、上記に例示したものの他、例えば、正面視における角の数が３〜８の多角形、正面視おいて楕円形などの任意の形状にすることができる。
【００４７】
［プリント柄の製造方法］
上記のプリント柄１１は、例えば、布地２などの対象物品に対して、発泡インクを複数のドット状に付着させる工程と、発泡インクを含有するドットの表面を複数の塗材で塗り分ける工程と、発泡インクを含有するドットを発泡させる工程とを含む複数のドットから構成されるプリント柄の製造方法によって、製造することができる。この方法では、発泡インクを発泡させることによって、ドットを膨化させて、プリント柄を側面視において観察した際に凸状に隆起した形状とすることができる。ドットの表面は、複数の塗材で塗り分けられているので、プリント柄を見る方向によって、プリント柄は色、質感、又は模様などの外観が変化する。
【００４８】
発泡インクは、体積が膨張することにより、凸状に隆起するインクを使用すればよい。発泡インクとしては、例えば、ブタン、イソブタン、ペンタン、イソペンタンなどの低分子量の膨張剤を含有し、加熱により発泡又は硬化する市販の熱硬化型の発泡インクを好適に使用することができる。熱硬化型の発泡インクは、例えば、ポリウレタン樹脂をビヒクルとするインクなどを使用することが可能である。そのようなインクとしては、例えば、アクリルポリオール、ポリエステルポリオール、ポリエーテルポリオール、エポキシ樹脂などを含有する主剤に対して、イソシアネートプレポリマーを含有する硬化剤を添加して使用する２液型のインクなどが市販されている。また、硬化剤としてブロックイソシアネートを使用した１液型のインクを使用してもよい。
【００４９】
発泡インクとしては、上記に挙げたものの他、塩化ビニルと酢酸ビニルとの共重合樹脂をビヒクルとするインク、アクリル樹脂をビヒクルとするインク、ポリエステル樹脂をビヒクルとするインクなどのインクに、上記のような膨張剤を予め含有するものを使用することができる。また、これらのインクに膨張剤を別途添加したものを使用することもできる。発泡インクには、炭酸カルシウムなどの充填剤、任意の溶媒を含有するものを使用してもよい。発泡インクは、熱硬化型のものに限られず、紫外線の照射により硬化する紫外線硬化型のものや、溶媒の揮発により定着する溶媒蒸発型のものを使用してもよい。発泡インクは、化学反応により二酸化炭素などの気体を発生させることにより、発泡するものを使用してもよい。
【００５０】
複数の色で塗り分ける際に使用する塗材は、発泡インクの表面に定着するものを使用すればよい。塗材としては、染料又は顔料のいずれを使用してもよい。塗材は、溶媒が蒸発することにより、発泡インクに対して定着する乾燥型の塗材を使用してもよいし、上記のような熱硬化型のインクを使用してもよいし、紫外線で硬化するインクを使用してもよい。塗材には、炭酸カルシウムなどの充填剤、任意の溶媒を含有するものを使用してもよい。
【００５１】
上記の製造方法において、発泡インクを含有するドットの表面を複数の塗材で塗り分ける工程と、発泡インクを含有するドットを発泡させる工程とは、いずれの工程を先に実施してもよい。例えば、発泡させた発泡インクの表面を複数の塗料で塗り分けてもよい。また、例えば、発泡させる前の発泡インクの表面を複数の塗料で塗り分けて、その後、発泡インクを発泡させてもよい。
【００５２】
上述のように、発泡インクとして、熱硬化型の発泡インクを使用する場合は、発泡インクを加熱して硬化させる際に、併せて、発泡インクの表面に塗られた塗材も加熱して溶媒を揮発させるなどして発泡インクに対して着色剤を定着させたり、熱硬化型の塗材を硬化させて発泡インクに対して塗材を定着させることが可能になる。また発泡インクとして、加熱により発泡する加熱発泡性の発泡インクを使用すれば、加熱することにより、発泡インクを発泡と発泡インクの硬化とドットの表面に塗られた複数の塗材の定着とを同時に行うことができる。このようにすれば、製造工程数を減じて効率化することができる。
【００５３】
このため、ドットの表面を複数の色で塗り分ける工程は、未発泡の加熱発泡性かつ熱硬化型の発泡インクを含有するドットの表面を、複数の塗材で塗り分ける工程であり、発泡インクを含有するドットを発泡させる工程は、前記塗材で塗り分けられた前記ドットを加熱発泡性かつ熱硬化型の発泡インクと共に塗材を加熱することにより実施することが好ましい。
【００５４】
上記の方法では、発泡インクの発泡と、硬化と、ドットの表面に塗られた塗材の定着とを同時に行う。この方法に限られず、例えば、発泡インクの発泡と、発泡インクの硬化と、塗材の定着とは別々の工程として行ってもよい。
【００５５】
対象物品に対して、発泡インクで構成したドットを付着させる工程は、対象物品に対してドットを付着させることが可能な方法で実施すればよい。例えば、筆で発泡インクを対象物品に対して塗布することにより行ってもよいし、インクジェットプリンターによって、発泡インクを対象物品に対して吹き付けることにより行ってもよいし、スクリーン印刷により、発泡インクを対象物品に対して印刷することにより行ってもよい。
【００５６】
同様に、発泡インクを含有するドットの表面を複数の色で塗り分ける工程は、ドットに対して塗材を付着させることが可能な方法で実施すればよい。例えば、筆で塗材をドットに対して塗布することにより行ってもよいし、インクジェットプリンターによって、塗材をドットに対して吹き付けることにより行ってもよいし、スクリーン印刷により、塗材をドットに対して印刷することにより行ってもよい。
【００５７】
スクリーン印刷によって、対象物品に対して発泡インクを付着させたり、又はドットに対して塗材を付着するには、例えば、図１３及び図１４に示すようにして実施することができる。図１３及び図１４に示す方法では、スクリーンメッシュ２１を張った枠体２２と、感光材２３と、スキージ２６とを使用して、プリント柄１を構成するドット１１を印刷する。
【００５８】
図１４及び図１５の方法では、複数の版板２４を使用する。図１４に示したように、まず最初に、ドット１１の外形状に対応する形状を有する複数の貫通孔２４１ａを有する第１版板２４aを使用する。図１３に示したように、枠体２２に張られたスクリーンメッシュ２１の印刷面に第１版板２４aが固定された刷版を用意する。スクリーンメッシュ２１の上に発泡インク２５を載せて、発泡インクをスキージ２６で圧延すると、貫通孔２４１aから発泡インク２５が排出されて対象物品である布地２に対して、発泡インクから構成されるドット１１が転写される。図１４の例では、第１版板２４aには、複数の円形の貫通孔２４１aが形成されており、円形のドット１１が転写される。
【００５９】
次いで、図１４に示したように、ドット１１の第１の領域に相当する形状の貫通孔２４１ｂを有する第２版板２４ｂをスクリーンメッシュ２１の印刷面に固定した第２刷版を使用して、黄色の塗材をドット１１の第１の領域に印刷する。塗材をドットの第１の領域に印刷する際には、第２刷版の貫通孔２４１ｂからドット１１が露出するように固定した状態で、スキージ２６で塗材を圧延して、ドット１１の表面に塗材を付着させる。
【００６０】
同様に、ドット１１の第２の領域に相当する形状の貫通孔２４１ｃを有する第３版板２４ｃをスクリーンメッシュの印刷面に固定した第３刷版と、ドット１１の第３の領域に相当する形状の貫通孔２４１ｄを有する第４版板２４ｄをスクリーンメッシュの印刷面に固定した第４刷版と、ドット１１の第４の領域に相当する形状の貫通孔２４１ｅを有する第５版板２４ｅをスクリーンメッシュの印刷面に固定した第５刷版とを使用して、ドット１１の第２の領域から第４の領域に、それぞれ緑色、青色、及びピンク色の異なる色の塗材を印刷する。図１４の例では、前記第１の領域は図２に示したドット１１のＤの領域に対応し、前記第２の領域は図２に示したドット１１のＡの領域に対応し、前記第３の領域は図２に示したドット１１のＣの領域に対応し、前記第４の領域は図４示したドット１１のＢの領域に対応する。
【００６１】
上記のように、ドットを付着させる工程と、ドットの表面を複数の色で塗り分ける工程は、複数の異なる形状を有する貫通孔を有する版板を使用したスクリーン印刷により実施することによって、効率的に、複数のドットを形成し、当該ドットを複数の色で塗り分けることが可能になる。
【００６２】
版板２４に貫通孔２４１を形成する方法は、特に限定されない。例えば、枠体に張られたスクリーンメッシュ２１に対して液状の感光材を塗布し、所望の貫通孔の形状に対応するポジフィルムを感光材２３とスクリーンメッシュ２１との上に載せて、日光や紫外線を照射して、感光材を硬化させ、未硬化の部分を水などの洗浄剤によって、洗い流すことにより形成することができる。また、感光材２３として、ＰＥＴなどの合成樹脂フィルムの上に一定の厚みとなるように感光材を塗布して構成されたフィルム状の感光材を使用してもよい。この場合、フィルム状の感光材の上に直接に所望の貫通孔の形状に対応するポジフィルムを重ねて感光してもよいし、フィルム状の感光材を枠体に張られたスクリーンメッシュ２１の印刷面に固定した状態で、前記ポジフィルムをスクリーンメッシュ２１と感光材２３の上に重ねて、感光してもよい。
【００６３】
感光材２３は、スクリーンメッシュ２１に対して、塗布することにより固定してもよいし、感光材２３を接着剤などでスクリーンメッシュ２１に対して固定してもよい。
【００６４】
発泡インクを発泡させる工程では、発泡インクを発泡させるのに必要な処理を行えばよい。例えば、発泡インクが加熱により発泡する性質を備えるものであれば、加熱処理を行えばよい。また、発泡インクが、化学反応による二酸化炭素などの気体の発生により発泡するものであれば、触媒の添加などにより発泡させればよい。
【符号の説明】
【００６５】
１      プリント柄
１１    ドット
【図１】
2020169415.tif 000003
【図２】
2020169415.tif 000004
【図３】
2020169415.tif 000005
【図４】
2020169415.tif 000006
【図５】
2020169415.tif 000007
【図６】
2020169415.tif 000008
【図７】
2020169415.tif 000009
【図８】
2020169415.tif 000010
【図９】
2020169415.tif 000011
【図１０】
2020169415.tif 000012
【図１１】
2020169415.tif 000013
【図１２】
2020169415.tif 000014
【図１３】
2020169415.tif 000015
【図１４】
2020169415.tif 000016